(57)【特許請求の範囲】
【請求項１】
ハンガレールに沿って転動するローラを有するランナと、上端部がランナに取り付けられるとともに下端部が引き戸に取り付けられる引き戸吊持シャフトとを備えた上吊り式引き戸の吊り車装置であって、引き戸に固定されるフレームに、引き戸吊持シャフトがフレームに対して回転はしないが上下方向に移動するように取り付けられ、引き戸吊持シャフトにおねじ部が形成され、引き戸吊持シャフトのおねじ部に、フレームに対して上下方向に移動しないようになされたシャフト移動用ナットがねじ嵌められ、フレームに、前後方向に伸びる軸線の周りに回転自在でかつフレームの前方から回転させられるナット回転用操作部材が取り付けられ、ナット回転用操作部材とシャフト移動用ナットとの間に、ナット回転用操作部材の回転をシャフト移動用ナットの回転に変換する伝動手段が設けられ、フレームは、上下方向に長い略直方体状のフレーム本体と、フレーム本体の上面を除いた周面に外側に張り出すように一体に設けられたフランジ部とで構成されていて、引き戸の上端部前面に形成された凹所内にフレーム本体が嵌め入れられ、フランジ部を貫通したねじ等を引き戸にねじ嵌めることにより引き戸に固定されるようになっており、上記ナット回転用操作部材の前端部に、ナット回転用操作部材を回転させる摘みが、フレームの前方に突出するように固定状に設けられている上吊り式引き戸の吊り車装置。
【請求項２】
上記伝動手段が、シャフト移動用ナットの下端面にこれと同軸上に来るように固定状に設けられた第１の傘歯車と、ナット回転用操作部材の後端面にこれと同軸上に来るように固定状に設けられかつ第１傘歯車と噛み合う第２の傘歯車とよりなり、フレーム本体にその後面から前方に伸びる有底円筒穴が形成されているとともに、有底円筒穴の内周面の上部における前端部を除いた部分に上方に凹んだ凹所が形成され、この凹所内にシャフト移動用ナットが嵌め入れられ、有底円筒穴の前端部内にナット回転用操作部材が嵌め入れられている、請求項１の上吊り式引き戸の吊り車装置。
【発明の詳細な説明】
【０００１】
【発明の属する技術分野】
この発明は、ハンガレールに沿って転動するローラを有するランナと、上端部がランナに取り付けられるとともに下端部が引き戸に取り付けられる引き戸吊持シャフトとを備えた上吊り式引き戸の吊り車装置に関する。
【０００２】
この明細書において、「引き戸」という用語には、折り戸や、可動間仕切り等の吊り車装置によりハンガレールに沿って移動するように吊持された戸の全てを含むものとする。また、この明細書において、図２および図５の左側を前、これと反対側を後というものとし、図１の上下、左右をそれぞれ上下、左右というものとする。
【０００３】
【従来の技術】
たとえば、家屋のクローゼットに設けられる上吊り式引き戸は、上端部に設けられた吊り車装置によりハンガレールに沿って移動するように吊持されており、その下端部はガイドレールに沿って移動するようになされている。ところで、このような引き戸においては、引き戸の下端と床面とを平行にするとともに、両者間の隙間を適切なものにするために、引き戸を設置した後にハンガレールに対する引き戸の高さを調整する必要がある。
【０００４】
ハンガレールに対する引き戸の高さを調整するために、従来、この種の吊り車装置としては、ハンガレールに沿って転動するローラを有するランナと、上端部がランナに取り付けられるとともに下端部が引き戸に取り付けられる引き戸吊持シャフトとを備えており、ランナに、引き戸吊持シャフトがランナに対して回転はしないが上下方向に移動するように取り付けられ、引き戸吊持シャフトの下端部が上下方向に移動しうるように引き戸に取り付けられ、引き戸吊持シャフトにおねじ部が形成され、引き戸吊持シャフトのおねじ部に、ランナに対して上下方向に移動しないようになされたシャフト移動用ナットがねじ嵌められ、ランナに、引き戸吊持シャフトと所定の角度をなす軸線の周りに回転自在であるナット回転用操作軸が取り付けられ、シャフト移動用ナットにこれと同軸上に来るように第１の傘歯車が一体に形成され、ナット回転用操作軸にこれと同軸上に来るとともに第１傘歯車と噛み合う第２の傘歯車が一体に形成され、ナット回転操作軸が、ランナの移動方向外方でかつ斜め下方から操作されるようになされたものが知られている（特開２００１−２７０７２号公報参照）。
【０００５】
【発明が解決しようとする課題】
しかしながら、従来の吊り車装置では、ハンガレールに対する引き戸の高さ調整を行うには、ランナと引き戸との間の極めて小さい隙間を利用してナット回転操作軸をドライバ等の工具を利用して回さなければならず、極めて作業性が悪いという問題がある。
【０００６】
この発明の目的は、上記問題を解決し、ハンガレールに対する引き戸の高さ調整を行うさいの作業性を向上させうる上吊り式引き戸の吊り車装置を提供することにある。
【０００７】
【課題を解決するための手段と発明の効果】
請求項１の発明による上吊り式引き戸の吊り車装置は、ハンガレールに沿って転動するローラを有するランナと、上端部がランナに取り付けられるとともに下端部が引き戸に取り付けられる引き戸吊持シャフトとを備えた上吊り式引き戸の吊り車装置であって、引き戸に固定されるフレームに、引き戸吊持シャフトがフレームに対して回転はしないが上下方向に移動するように取り付けられ、引き戸吊持シャフトにおねじ部が形成され、引き戸吊持シャフトのおねじ部に、フレームに対して上下方向に移動しないようになされたシャフト移動用ナットがねじ嵌められ、フレームに、前後方向に伸びる軸線の周りに回転自在でかつフレームの前方から回転させられるナット回転用操作部材が取り付けられ、ナット回転用操作部材とシャフト移動用ナットとの間に、ナット回転用操作部材の回転をシャフト移動用ナットの回転に変換する伝動手段が設けられているものである。
【０００８】
請求項１の発明の吊り車装置によれば、ナット回転用操作部材をフレームの前方から回転させると、この回転力が伝動手段によりシャフト移動用ナットに伝えられてこのナットが回転させられる。シャフト移動用ナットが回転すると、引き戸吊持シャフトがナットおよびフレームに対して上下方向に移動する。その結果、ランナの引き戸に対する高さが変更され、これによりハンガレールに対する引き戸の高さが調整される。
【０００９】
そして、引き戸の高さ調整を行うさいには、引き戸の表裏いずれか片面側であるフレームの前方側からナット回転用操作部材を回転させることができるので、従来の吊り車装置の場合に比べて、作業性が飛躍的に向上する。
【００１０】
請求項２の発明による上吊り式引き戸の吊り車装置は、請求項１の発明において、上記ナット回転用操作部材の前端部に、ナット回転用操作部材を回転させる摘みが、フレームの前方に突出するように固定状に設けられているものである。この場合、ナット回転用操作部材の回転を、摘みを手で持って行うことができるので、引き戸の高さ調整を、ドライバ等の道具を用いることなく簡単に行うことができる。
【００１１】
請求項３の発明による上吊り式引き戸の吊り車装置は、請求項１または２の発明において、上記伝動手段が、シャフト移動用ナットにこれと同軸上に来るように固定状に設けられた第１の傘歯車と、ナット回転用操作部材にこれと同軸上に来るように固定状に設けられかつ第１傘歯車と噛み合う第２の傘歯車とよりなるものである。
【００１２】
【発明の実施形態】
以下、この発明の実施形態を、図面を参照して説明する。
【００１３】
図１〜図３において、吊り車装置は、ハンガレール（図示略）に沿って転動する複数のローラ(1)を有するランナ(2)と、引き戸(S)に固定されたプラスチック製フレーム(3)と、上端部がランナ(2)に上下方向には移動しないが回転するように取り付けられるとともに、下端部がフレーム(3)に取り付けられた金属製引き戸吊持シャフト(4)とを備えている。
【００１４】
フレーム(3)は、上下方向に長い略直方体状のフレーム本体(5)と、フレーム本体(5)の上面を除いた周面に外側に張り出すように一体に設けられたフランジ部(6)とよりなる。そして、フレーム(3)は、たとえばクローゼットの引き戸(S)の上端部におけるクローゼット内方を向いた面（前面）に形成された凹所内にフレーム本体(5)が嵌め入れられ、フランジ部(6)を貫通したねじ等を引き戸(S)にねじ嵌めることにより引き戸(S)に固定されるようになっている。
【００１５】
フレーム本体(5)の上端部は横断面略半長円形状となされており、ここに上下方向に伸びるシャフト挿通用貫通穴(7)が形成されている。フレーム本体(5)における横断面略半長円形状部分(5a)よりも下側の部分に、その後面から前方に伸びる有底円筒穴(8)が形成されている。有底円筒穴(8)の内周面の上部における前端部を除いた部分に、上方に凹んだ凹所(9)が形成されている。凹所(9)の左右両側面の大部分はそれぞれ垂直面であり、垂直面の下端部は下方に向かって左右方向内方に傾斜した傾斜面となっている。また、有底円筒穴(8)の内周面の下部に下方に凹んだ浅い凹所(10)が形成されている。これらの凹所(9)(10)はフレーム本体(5)の後面に開口している。フレーム本体(5)における有底円筒穴(8)よりも下方の部分に、その後面から前方に伸びる有底異形穴(11)が形成されている。
【００１６】
引き戸吊持シャフト(4)は、フレーム本体(5)の貫通穴(7)に上下動自在に挿通されているとともに、その下端部が有底円筒穴(8)と有底異形穴(11)との間の仕切壁(12)に形成された貫通穴(13)に上下動自在に挿通されている。さらに、引き戸吊持シャフト(4)の上部における外周面の左右両側部分に、それぞれ上下方向に所定の長さを有する突起(4a)が一体に形成され、これらの突起(4a)が貫通穴(7)の内周面に形成された凹溝(7a)内に摺動自在に嵌められいる。これにより、引き戸吊持シャフト(4)は、フレーム本体(5)に、フレーム本体(5)に対して回転はしないが上下動するように取り付けられている。また、引き戸吊持シャフト(4)の高さの中間部におねじ部(14)が形成されている。なお、引き戸吊持シャフト(4)の下端には抜け止めリング(15)が固定されており、これにより引き戸吊持シャフト(4)の上昇位置が規制されるようになっている。
【００１７】
引き戸吊持シャフト(4)のおねじ部(14)の周囲に、シャフト移動用ナット(16)がねじ嵌められている。シャフト移動用ナット(16)は有底円筒穴(8)内周面に形成された上側の凹所(9)内に嵌め入れられており、これによりシャフト移動用ナット(16)がフレーム本体(5)に対して上下方向に移動はしないが回転するようになっている。シャフト移動用ナット(16)の下端面に、第１の傘歯車(17)がナット(16)と同軸上に来るように一体に形成されている。
【００１８】
フレーム本体(5)の有底円筒穴(8)の前端部内に、軸線が前後方向を向いた円柱状のナット回転用操作部材(18)が軸線の周りに回転自在に嵌め入れられている。ナット回転用操作部材(18)は、その外周面が有底円筒穴(8)の内周面に摺接することにより、フレーム本体(5)に対して回転自在に支持されている。ナット回転用操作部材(18)の後端面に、シャフト移動用ナット(16)の第１傘歯車(17)と噛み合う第２の傘歯車(19)が操作部材(18)と同軸上に来るように一体に形成されている。また、ナット回転用操作部材(18)の前端面にすり割り(20)が形成されており、フレーム本体(5)における有底円筒穴(8)の底壁部分に形成されかつナット回転用操作部材(18)よりも小径の円形貫通穴(21)を通して、ドライバ等によりフレーム本体(5)の前方から回転させられるようになっている。
【００１９】
上記構成の吊り車装置において、ドライバの先端部を、フレーム(3)の前方から貫通穴(21)を通してすり割り(20)内に嵌め入れてナット回転用操作部材(18)を回転させると、２つの傘歯車(19)(17)の働きによりシャフト移動用ナット(16)が回転させられる。その結果、引き戸吊持シャフト(4)がシャフト移動用ナット(16)およびフレーム本体(5)に対して上下動する。その結果、ランナ(2)の引き戸(S)に対する高さが変更され、これによりハンガレールに対する引き戸(S)の高さが調整される。
【００２０】
図４〜図６はこの発明による吊り車装置の他の実施形態を示す。図４〜図６において、図１〜図３に示すものと同一物および同一部分には同一符号を付して重複する説明を省略する。
【００２１】
図４〜図６において、ナット回転用操作部材(18)の前端部に、ナット回転用操作部材(18)を回転させるプラスチック製摘み(25)が、次のようにしてフレーム(3)の前方に突出するように固定されている。
【００２２】
ナット回転用操作部材(18)の前端面における１直径上に、前方に突出した凸条(26)が一体に形成されている。凸条(26)の長手方向の両端面は、ナット回転用操作部材(18)の軸線を曲率中心とする円弧状となされている。摘み(25)はフレーム(3)の前面に沿うように配されており、そのボス部(25a)の後端面に、後方に突出しかつ円形貫通穴(21)内に嵌る円柱部(27)が、ナット回転用操作部材(18)と同軸上に位置するように一体に形成されている。円柱部(27)の１直径上には、その後端面から円柱部(27)の全高にわたりかつ摘み(25)の凸条(26)が嵌る凹溝(28)が形成されている。そして、ナット回転用操作部材(18)の凸条(26)が摘み(25)の凹溝(28)内に嵌められ、ナット回転用操作部材(18)の中心部を後方から貫通したおねじ(29)が、摘み(25)のボス部(25a)に形成されたねじ穴(30)にねじ嵌められることにより、摘み(25)がナット回転用操作部材(18)に固定されている。
【００２３】
上記構成の吊り車装置において、摘み(25)を手で持ってその軸線の周りに回すことによってナット回転用操作部材(18)を回転させると、２つの傘歯車(19)(17)の働きによりシャフト移動用ナット(16)が回転させられる。その結果、引き戸吊持シャフト(4)がシャフト移動用ナット(16)およびフレーム本体(5)に対して上下動する。その結果、ランナ(2)の引き戸(S)に対する高さが変更され、これによりハンガレールに対する引き戸(S)の高さが調整される。また、凸条(26)および凹溝(28)の働きによって、摘み(25)のナット回転用操作部材(18)に対する回転が阻止され、これによりおねじ(29)の緩みが防止される。
【図面の簡単な説明】
【図１】この発明による吊り車装置の実施形態を示す背面図である。
【図２】図１のII−II線断面図である。
【図３】図１のIII−III線断面図である。
【図４】この発明による吊り車装置の他の実施形態を示す正面図である。
【図５】図４のＶ−Ｖ線断面図である。
【図６】図５のVI−VI線断面図である。
【符号の説明】
(1)：ローラ
(2)：ランナ
(3)：フレーム
(4)：引き戸吊持シャフト
(14)：おねじ部
(16)：シャフト移動用ナット
(17)：第１傘歯車
(18)：ナット回転用操作部材
(19)：第２傘歯車
(25)：摘み
(S)：引き戸
【図１】
0003780412.tif 000002
【図２】
0003780412.tif 000003
【図３】
0003780412.tif 000004
【図４】
0003780412.tif 000005
【図５】
0003780412.tif 000006
【図６】
0003780412.tif 000007